(57)【要約】【課題】  ダブルステッチの縫製終了後に押さえを持ち上げた際に、可動ガイド片の被縫製物をガイドする部分（ガイド部）が針板側に垂下しない、総合送りミシンの押さえ機構を提供する。【解決手段】  押さえ足１２の下部に設けられた左右一対の押さえ足本体１２ａ，１２ａの間に、前後に伸びる可動ガイド片１６を配置し、その中途にてピン１５によってピン１５の軸回り押さえ足１２に連結する。可動ガイド片１６の後部に係止部１６ａが設けられ、係止部１６ａの上方に規制部材１７が高さ位置調節可能にしてアーム２に取り付けられる。可動ガイド片１６の後端はばね１４によって下方へ付勢される。縫製中に押さえ足本体が被縫製物から離間する時はばね１４の張力により可動ガイド片の手前端部１６ｂが垂下して被縫製物に当接しガイドするが、縫製終了後の押さえ上げ時に係止部１６ａが規制部材１７に当接して押し下げられ、手前端部１６ｂが持ち上げられる。【選択図】図３
2019115573.tif 000002
【特許請求の範囲】
【請求項１】
アームから下部が突出すると共に左右に併設された２本の針を下端に保持して昇降する針棒と、針の昇降に連動して被縫製物を上方から所定の方向に送る上送り足と、針板の下方に針板の上面に出没可能に配置されると共に前記針および上送り足と連動して被縫製物を下方から所定の方向に送る下送り足と、アームから下部が突出すると共に下端に押さえ足が取り付けられる押さえ棒とを備え、押さえ棒は上送り足と交互に上下動させる交互上下機構、および縫製終了時に押さえ足を上方に持ち上げる押さえ上げ機構に連結され、押さえ足は下部に左右一対の押さえ足本体を有する総合送りミシンの押さえ機構において、被縫製物をガイドするガイド部を有する可動ガイド片が左右一対の押さえ足本体の間に配置されると共にガイド部が押さえ足本体と相対的に上下動可能にして押さえ足に取り付けられ、前記可動ガイド片に連結されると共に前記ガイド部を下方に付勢する付勢手段と、前記可動ガイド片に係合可能に配置されると共に縫製中は前記可動ガイド片に係合せず且つ前記押さえ上げ機構の作用により押さえ足が持ち上げられる際に前記可動ガイド片に係合して前記可動ガイド片のガイド部を上方に移動させる規制手段を設けたことを特徴とする、総合送りミシンの押さえ機構。
【発明の詳細な説明】
【技術分野】
【０００１】
本発明はミシンの押さえ機構に関し、詳しくは、２本の針を有し被縫製物にダブルステッチを施すための総合送りミシンの押さえ機構に関する。
本発明において、前後とはミシンの生地送り方向における前後方向をいい、左右とはミシンを正面から見た時の左右方向をいう。また上下とはミシンの上下方向をいう。
【背景技術】
【０００２】
従来から、針送り機構、下送り機構および上送り機構を同調させて被縫製物を所定の方向に送る、いわゆる総合送りミシンが知られている（例えば、特許文献１。）。
このような総合送りミシンでは、押さえ機構に設けられた押さえ足が上送り機構に設けられた上送り足と逆位相すなわち交互に上下動し、押さえ足は針および上下の送り足が被縫製物から離間する間、被縫製物を上方から公知の針板に向けて押さえる。
【０００３】
また、被縫製物にダブルアウターステッチ（ダブルステッチ）を施すための２本針ミシンとして、押さえ足に可動ガイド片を設けたものが従来より知られている（例えば、特許文献２参照。）。
特許文献２に開示される押さえは、二股状に形成された左右一対の押さえ本体を有し、この左右一対の押さえ本体の間に可動ガイド片が配置されている。可動ガイド片はその先端側が上下動可能にして押さえに取り付けられており、かつ板ばねによって上方から付勢されている。以上のような構成によって、押さえ本体が上方に移動して被縫製物から離間している間も、可動ガイド片の手前端は被縫製物に当接することになる。したがって、２枚の被縫製物を接ぎ縫いした後、２枚の被縫製物の折り返し部を同時にダブルステッチする際、前述した可動ガイド片の手前端をこの折り返し部に当接させると、被縫製物の前記折り返し部は常に可動ガイド片によってガイドされ、縫い目が蛇行しないというものである。
【先行技術文献】
【特許文献】
【０００４】
【特許文献１】特開２００７−２８２７４７号公報
【特許文献２】実登第２５３５０３９号公報
【発明の概要】
【発明が解決しようとする課題】
【０００５】
上述したようなダブルステッチを縫製するために、特許文献２に開示される押さえ機構を特許文献１に開示される総合送りミシンに適用した場合、押さえ本体が上昇して針板から離間している時に、可動ガイド片の手前端が押さえ本体の下面よりも針板側に垂下していることになる。そうすると、縫製が終わり押さえを持ち上げて次の被縫製物を挿入する際に、この垂下した可動ガイド片の手前端を手で持ち上げなければならず、縫製作業の効率が悪くなるという問題が生じる。
本発明は上述の問題を解決するためになされたものであり、その目的は、ダブルステッチの縫製終了後に押さえを持ち上げた際に、可動ガイド片の被縫製物をガイドする部分（ガイド部）が針板側に垂下しない、総合送りミシンの押さえ機構を提供することにある。
【課題を解決するための手段】
【０００６】
上記目的を達成するために、請求項１に記載の発明は、アームから下部が突出すると共に左右に併設された２本の針を下端に保持して昇降する針棒と、針の昇降に連動して被縫製物を上方から所定の方向に送る上送り足と、針板の下方に針板の上面に出没可能に配置されると共に前記針および上送り足と連動して被縫製物を下方から所定の方向に送る下送り足と、アームから下部が突出すると共に下端に押さえ足が取り付けられる押さえ棒とを備え、押さえ棒は上送り足と交互に上下動させる交互上下機構、および縫製終了時に押さえ足を上方に持ち上げる押さえ上げ機構に連結され、押さえ足は下部に左右一対の押さえ足本体を有する総合送りミシンの押さえ機構において、被縫製物をガイドするガイド部を有する可動ガイド片が左右一対の押さえ足本体の間に配置されると共にガイド部が押さえ足本体と相対的に上下動可能にして押さえ足に取り付けられ、前記可動ガイド片に連結されると共に前記ガイド部を下方に付勢する付勢手段と、前記可動ガイド片に係合可能に配置されると共に縫製中は前記可動ガイド片に係合せず且つ前記押さえ上げ機構の作用により押さえ足が持ち上げられる際に前記可動ガイド片に係合して前記可動ガイド片のガイド部を上方に移動させる規制手段を設けたことを特徴とする。
【発明の効果】
【０００７】
本発明によれば、縫製終了時に押さえ上げ動作を行うと、可動ガイド片のガイド部が規制手段によって上方に移動し押さえ足と共に針板から離間するので、次の被縫製物を押さえ足本体の下に挿入する時に可動ガイド片が邪魔にならず、縫製の作業効率が落ちない。
【図面の簡単な説明】
【０００８】
【図１】本発明に係るミシンを用いた縫製中、押さえが上昇した状態を示す、要部の左側面図である。
【図２】本発明に係るミシンを用いた縫製中、押さえが下降した状態を示す、要部の左側面図であるる。
【図３】縫製終了後、押さえ足を持ち上げた状態を示す、要部の左側面図である
【発明を実施するための最良の形態】
【０００９】
以下、図１乃至３に基づいて、本発明の実施形態を説明する。図面１乃至３はいずれも本発明に係るミシン１の要部を示す左側面図であり、図の右手がミシン１の正面（手前）左手がミシン１の後側となっている。また、図１，図２は縫製中のミシンの状態を示したものであるが、簡略のため被縫製物は図示していない。
【００１０】
ミシン１は総合送りミシンであり、アーム２とポストベッド３を有する。アーム２の下面から針棒５の下部が突出しており、針棒５の下端には左右に併設された２本の針６，６が保持されている。針棒５は公知の図示しない針送り機構に連結されており、針送り機構は針棒５を上下動させつつ、後述する上送り機構，下送り機構と同調して、針６，６が被縫製物を貫通する間、被縫製物を後方に送る。
【００１１】
アーム２の下面から上送り棒７の下部が突出しており、上送り棒７の下端には上送り足８がネジ９で固定されている。上送り足８はその下部に左右一対の上送り足本体８ａ，８ａを有している。上送り棒７は図示しない上送り機構に連結されており針棒５と同調して上下に昇降しつつ前後に揺動する。
アーム２の下方に位置するポストベッド３の上端に、被縫製物を積載し送り方向に搬送するための針板４が設けられている。針板４の下方、ポストベッド３内に下送り足１８が配置されている。下送り足１８は図示しない下送り機構に連結されており、上述の針送り機構，上送り機構と同調して、針板４上面から出没して被縫製物を後方に送る。
【００１２】
アーム２の下面から押さえ棒１０の下部が突出しており、押さえ棒１０の下端には押さえ足１２がネジ１１で固定されている。押さえ足１２の下部には左右一対の押さえ足本体１２ａ，１２ａが押さえ棒１０より手前側に伸びて形成されている。また、押さえ足１２の上部には取付部１２ｂが押さえ棒１０より後方に伸びて形成されている。
押さえ棒１０は図示しない交互上下機構および押さえ上げ機構に連結されている。押さえ棒１０に取り付けられた押さえ足１２は交互上下機構によって上送り足と逆位相すなわち交互に上下動し、押さえ足本体１２ａは針板４の上面と離接する。
また、ミシン１の駆動による縫製が終了した後に押さえ上げ機構を作動させると、押さえ棒１０は上昇する。この時、押さえ足１２も上昇して針板４から離間するが、押さえ足１２の上昇量は前述した交互上下機構による押さえ足１２の上昇量よりも大きく設定されている。さらに、押さえ上げ機構による押さえ足１２の上昇に連動して、針棒５および上送り棒７が上昇するように設定されている。
【００１３】
左右一対の押さえ足本体１２ａ，１２ａの間に可動ガイド片１６が配置されている。可動ガイド片１６は、左右水平方向に伸びて配置される軸状のピン１５によって、押さえ足１２とピン１５の軸回りに回動可能に連結されている。可動ガイド片１６はピン１５の前後に伸びて配置されており、その手前側には手前端部１６ｂが、後側には係止部１６ａがそれぞれ形成されている。可動ガイド片１６のピン１５より手前側は、左右一対の針６，６、上送り足８ａ，８ａのそれぞれ中間に位置している。
【００１４】
可動ガイド片１６の後端には、ばね１４の下端が架けられており、ばね１４の上端は調節ネジ１３の下端に架けられている。調節ネジ１３は押さえ足１２の取付部１２ｂに螺嵌されており、その回動操作によって押さえ足１２に対する高さ位置の調節が可能となっている。
また、ばね１４は、図２に示すように可動ガイド片１６の底面が押さえ足本体１２ａの底面と平行にある時に自然長よりも長く伸ばされて可動ガイド片１６，調節ネジ１３に架けられている。つまり、可動ガイド片１６は、ばね１４の張力によってピン１５よりも手前側が下方へ移動する方向に付勢されている。
【００１５】
押さえ棒１０の後方に規制部材１７が配置されている。規制部材１７はＬ字状に形成された棒状の部材で、垂直に伸びる鉛直部１７ａと左右水平に伸びる水平部１７ｂで構成されている。鉛直部１７ａはネジ１９によって上下方向の位置調節可能にしてアーム２に固定されている。水平部１７ｂは可動ガイド片１６の係止部１６ａの上方に位置しており、計止部１６ａの上面と当接可能となっている。
【００１６】
以上のように構成されたミシン１によれば、上送り棒７と押さえ棒１０とは逆位相に昇降して被縫製物を上方から交互に圧接する。図２に示すように、上送り棒７が上昇し上送り足本体８ａが被縫製物から離間している時は、押さえ棒１０が下降して押さえ足１２の押さえ足本体１２ａが被縫製物を上方から圧接する。この時、可動ガイド片１６の底面は押さえ足本体１２ａの底面と高さを等しくして被縫製物の上面に当接する。そして上述したように２枚の被縫製物の折り返し部にこの可動ガイド片１６の底面を当接させて縫製を行うと、被縫製物が可動ガイド片１６にガイドされて、蛇行のない綺麗なダブルステッチが形成される。
次に、針棒５および上送り棒７が下降して被縫製物を送る時は、図１に示すように押さえ棒１０が所定量だけ上昇して押さえ足１２の押さえ足本体１２ａが被縫製物から離間する。この時、可動ガイド片１６の後部がばね１４の張力よって引き上げられ、相対的に可動ガイド片１６の手前側はピン１５の軸回りに下降する。その結果、可動ガイド片１６の手前端部１６ｂの底面が押さえ足本体１２ａの底面よりも下方に突出して被縫製物の上面に当接し、引き続き被縫製物の搬送をガイドする。また、可動ガイド片１６の係止部１６ａの上面と規制部材１７の水平部１７ｂとは所定の間隔をもって離間している。このように、縫製中は、可動ガイド片１６の手前端部１６ｂが常に被縫製物に当接してガイドするガイド部として作用することになる。
【００１７】
縫製が終了すると、縫製された被縫製物をミシン１から取り外し、次の縫製物をミシン１に挿入するために、押さえ上げ機構によって押さえ棒１０および押さえ足１２が上方へ持ち上がられる、いわゆる押さえ上げの動作が行われる（図３）。この時、持ち上げられた押さえ足１２の高さ位置は、図１で示す縫製中の押さえ足１２の上昇位置よりも高く設定されている。また、上述したように、押さえ足１２の持ち上げに伴い針棒５、上送り棒７も上昇し、且つ針６，上送り足本体８ａの下端が押さえ足本体１２ａの下端よりも上方に位置するよう設定されている。
この押さえ上げ時、規制部材１７の水平部１７ｂが可動ガイド片１６の係止部１６ａ上面に当接し、ばね１４の張力に抗して係止部１６ａを下方へ押し下げられ、相対的に可動ガイド片１６の手前端部１６ｂはピン１５の軸回りに押し上げられ、その下面が押さえ足本体１２ａの下面と高さが等しくされる。以上説明したような作用がなされるよう、規制部材１７の高さ方向の位置は調節されている。
【００１８】
図３に示すように、押さえ上げ時、可動ガイド片１６の手前端部１６ｂが押さえ足本体１２ａの下端より下方に垂下しないため、被縫製物を押さえ足本体１２ａの下方に挿入する際に可動ガイド片１６が挿入の障害とならない。
また、詳述しないが、本発明の総合送りの押さえ機構を採用することにより、この押さえ上げ時に針板４上方、押さえ足本体１２ａの下方にて図示しない針糸を公知の糸切り装置によって切断することが可能となる。
【符号の説明】
【００１９】
２                アーム
３                ポストベッド
４                針板
５                針棒
６                針
７                上送り棒
８                上送り足
８ａ              上送り足本体
１０              押さえ棒
１２              押さえ足
１２ａ            押さえ足本体
１４              ばね
１６              可動ガイド片
１６ａ            係止部
１６ｂ            手前端部
１７              規制部材
１７ａ            鉛直部
１７ｂ            水平部
１８              下送り足
【図１】
2019115573.tif 000003
【図２】
2019115573.tif 000004
【図３】
2019115573.tif 000005